(57)【要約】【課題】外蓋にＯリングを装着した内蓋を貼り付けた電池蓋を筐体背面から垂直に着脱可能な構造であって着脱耐久性を有し、省スペース化が可能となる構造のフックを備えた電池蓋及びこれを備えた携帯電子機器を提供する。【解決手段】電池池収納部を有する筺体１と、筐体１と嵌合する少なくとも１つの第１フック３１を有して電池収納部の開口を覆う外蓋６と、第１フック３１と対応して少なくとも１つ設けられ、対応する第１フック３１が貫通するよう形成された開口部２１を有しＯリング３を装着する溝を設けた内蓋４と、内蓋４に形成された全ての開口部２１を取り囲むように配置され、または、開口部２１のそれぞれを取り囲むようにそれぞれ配置された防水両面テープ５とを備える。【選択図】図３
2012178317.tif 000002
【特許請求の範囲】
【請求項１】
電池収納部を有する筺体と、
前記筐体と嵌合する少なくとも１つの第１フックを有して電池収納部の開口を覆う外蓋と、
前記第１フックと対応して少なくとも１つ設けられ、対応する前記第１フックが貫通するよう形成された開口部を有しＯリングを装着する溝を設けた内蓋と、
前記内蓋に形成された全ての前記開口部を取り囲むように配置され、または、前記開口部のそれぞれを取り囲むようにそれぞれ配置された防水両面テープとを備えることを特徴とする電池蓋構造。
【請求項２】
前記電池収納部周囲の電池を支持する両側壁には一部を切り欠いた複数の溝が形成され、前記溝は、前記内蓋の開口部を貫通した第１フックを挿嵌する複数の第２フックとして形成され、前記第２フックには前記第１フックが着脱可能に嵌合することを特徴とする請求項１に記載の電池蓋構造。
【請求項３】
請求項１または請求項２の電池蓋構造を備えることを特徴とする携帯電子機器。
【発明の詳細な説明】
【技術分野】
【０００１】
本発明は、無線機や電話機などの携帯電子機器の電池蓋構造及びこれを備えた携帯電子機器に関する。
【背景技術】
【０００２】
無線機や電話機などの携帯電子機器において、筐体の背面側に開口して設けられた電池を収納する電池収納部周囲の防水性を確保するための電池蓋の構造として、例えば図６〜図８に示すように筐体と電池収納部を覆う電池蓋の間に防水部材を配置した構造が知られている。
【０００３】
図６は従来の携帯電子機器筐体の防水電池蓋構造を示す筺体の横断面図、図７は図６の防水電池蓋に対して美観上の改良を施した防水電池蓋を示す筺体の横断面図、図８は成形工程上の問題点が改良された従来の防水電池蓋構造を示す筺体の横断面図である。
図６に示すように、防水部材にＯリングを用いる場合、その最も簡便な構造の一つとして電池蓋１０１にＯリング１０３を装着するための溝１１０を形成してＯリング１０３を装着し、筐体１００と電池蓋１０１に対向して設けられた第１フック１０８と第２フック１１２により嵌合する構造がある。
【０００４】
ところで上記電池蓋は、図７に示すように美観上の観点から電池蓋の両側面を筐体の端部まで延長した湾曲形状が望まれる。
しかしながら、上記のように両側端部を湾曲形状に形成すると、Ｏリング溝１１４がＯリング１０３の張力に対向するように湾曲部１１６に向けて開口するように形成する必要がある。このため、成形工程時において、金型からスライドコアで離型するために前記開口部前方の湾曲部１１６が障害となる。このため、筐体端部まで延長して前記電池蓋の両側面に湾曲形状が実現できないといったデザイン上の制約があった。
【０００５】
この制約をクリアした電池蓋構造として、図８に示すようにＯリング溝１２２を形成した内蓋１２０と外観面を形成する外蓋１２５を別に樹脂成型し、両面テープ１２８を介して貼り合わせて両側面を湾曲部１２６に形成した電池蓋１３０とする構成が知られている。
【０００６】
ところで近年では携帯電子機器の小型化が進んでおり、電池蓋１３０と筐体１３１を固定するために内蓋１２０に設けた第１フック１２４と嵌合する筐体１３１側の第２フック１２３は、省スペース化のために前記筐体１３１の電池収納部１１１周囲に形成された側壁の一部を切欠いた構成のフックとする構成が望ましいとされている。
【０００７】
そのため従来は、外蓋１２５に貼り合わせた内蓋１２０に第１フック１２４を形成する必要があったが、筐体１３１に嵌合している電池蓋１３０を取外すために、筐体１３１の背面から垂直に剥がすよう外蓋１２５に外力を加えた際、筐体１３１と内蓋１２０が第１フック１２４により直接嵌合しているため、外蓋１２５と内蓋１２０の剥離が懸念される問題がある。
【０００８】
上記問題点を解決した電池蓋構造として、筐体（本体）の第２フック（引掛部）に直接嵌合する第１フック（フック部）を外蓋（カバー部材）に設けた電池蓋構造が知られている（例えば特許文献１参照）。
【０００９】
特許文献１に記載の電池蓋構造は、外蓋（カバー部材）と内蓋（防水パッキン）は両面テープ又は接着剤等により接着されており、前記内蓋（防水パッキン）の突起部には電池収納部（バッテリー収納部）を囲繞するように形成された環状四角形の連続した溝に圧入するＯリング（弾性体）を備えている。
【００１０】
一方、外蓋（カバー部材）の両側面には、前記環状四角溝の外側に形成された第２フック（引掛部）に引っ掛ける第１フック（フック部）が形成されており、第１フック（フック部）を第２フック（引掛部）に引っ掛けることによりＯリング（弾性体）が前記環状四角溝に圧入され、電池収納部（バッテリー収納部）の防水を図っている。
【先行技術文献】
【特許文献】
【００１１】
【特許文献１】特開２００８−２８８１７４号公報
【発明の概要】
【発明が解決しようとする課題】
【００１２】
しかしながら、特許文献１に開示された電池蓋構造は、外蓋（カバー部材）に設けた第１フック（フック部）を筐体（本体）の第２フック（引掛部）に直接嵌合する構成とされているので、外蓋（カバー部材）と内蓋（防水パッキン）の剥離は解消されるものの、第１フック（フック部）を引っ掛ける第２フック（引掛部）は、電池収納部（バッテリー収納部）を囲繞する環状四角溝の外側に配置した構造となっている。
【００１３】
これにより、上記特許文献１に記載の電池蓋構造では、フックを環状四角溝の外側に配置した構造であることから省スペース化を考慮した構成ではない。このため携帯電子機器の小型化が困難となる問題を有している。
【００１４】
本発明は、このような事情に鑑みてなされたもので、外蓋にＯリングを装着した内蓋を貼り付けた電池蓋を筐体背面から垂直に着脱可能な構造であって着脱耐久性を有し、省スペース化が可能となる構造のフックを備えた携帯電子機器の電池蓋構造及び携帯電子機器を提供することを目的とする。
【課題を解決するための手段】
【００１５】
上記課題を解決するために、本発明では以下の手段を採用する。
本発明の携帯電子機器の電池蓋構造は、電池収納部を有する筺体と、前記筐体と嵌合する少なくとも１つの第１フックを有して電池収納部の開口を覆う外蓋と、前記第１フックと対応して少なくとも１つ設けられ、対応する前記第１フックが貫通するよう形成された開口部を有しＯリングを装着する溝を設けた内蓋と、前記内蓋に形成された全ての前記開口部を取り囲むように配置され、または、前記開口部のそれぞれを取り囲むようにそれぞれ配置された防水両面テープとを備えることを特徴とする。
【発明の効果】
【００１６】
本発明によれば、外観面となる外蓋とＯリングを装着した内蓋を貼り合わせた防水電池蓋により筺体の電池収納部を覆う携帯電子機器において、筺体に嵌合している電池蓋を取外すために、筐体背面から垂直に剥がすよう外蓋に外力を加えた際、筐体と内蓋は直接嵌合していないため、外蓋と内蓋が剥離する可能性が無く着脱耐久性が向上する。
【図面の簡単な説明】
【００１７】
【図１】本発明の第１実施形態に係る携帯電子機器を筐体上面側から見た分解斜視図である。
【図２】本発明の第１実施形態に係る携帯電子機器を筐体背面側から見た分解斜視図である。
【図３】外蓋の第１フックと第２フックが嵌合した状態を示す筺体の片側横断面図である。
【図４】本発明の第２実施形態に係り、外蓋の第１フックと第２フックが嵌合した状態を示す筺体の片側横断面図である。
【図５】本発明の第３実施形態に係り、外蓋の第１フックと第２フックが嵌合した状態を示す筺体の片側横断面図である。
【図６】従来の携帯電子機器の防水電池蓋構造を示す筺体の横断面図である。
【図７】従来の他の携帯電子機器の防水電池蓋構造を示す筐体の横断面図である。
【図８】従来の他の携帯電子機器の防水電池蓋構造を示す筐体の横断面図である。
【発明を実施するための形態】
【００１８】
本発明の第１実施形態に係る携帯電子機器の防水電池蓋構造に付き図面を参照して説明する。
図１は第１実施形態に係る防水電池蓋を筐体背面側から見た分解斜視図、図２は防水電池蓋を筐体背面側から見た分解斜視図、図３は外蓋の第１フックと第２フックが嵌合した状態を示す筺体の片側横断面図である。なお、図１〜図３では、説明のために各構成要素の縮尺を適宜変更して記載している。
【００１９】
図２において、筐体１の背面は、着脱可能に装着された電池蓋７により覆われ
ており、前記電池蓋７は、外蓋６と、該外蓋６の内面に両面テープ５を介して貼り合わされる内蓋４と、内蓋４の外周側面に形成されたリング溝１５に装着されるＯリング３とから構成されている。
【００２０】
前記筐体１の背面下方には、電池２を収納する矩形状に形成された有底の電池収納凹部１１が形成されており、前記電池収納凹部１１の上面周囲には後述する内蓋４を嵌合する矩形状の段付き凹部１０が形成されている。
段付き凹部１０の内側には、電池２を収納する有底の電池収納凹部１１が形成
されており、前記電池収納凹部１１の両側壁１３には、その一部を切り欠いた計６つの凹溝１３ａの底面に爪状のフックを設けて成る第２フック１２が長手方向に沿って所定間隔毎に夫々対向して形成されており、第２フック１２として構成される。
【００２１】
図１において、筐体１背面の電池収納凹部１１は、前記外蓋６によって覆われるように構成されており、外蓋６両側面には円弧状の湾曲部６ａが長手方向に沿って形成されている。
図３に示すように前記外蓋６内面の両側には、前記第２フック１２に夫々対応する計６つの第１フック３１が長手方向に沿って所定間隔毎に突出しており、前記外蓋６の内面には内蓋４が両面テープ５を介して貼り合わされる。
【００２２】
前記内蓋４の外周側面に形成されたリング溝１５にはＯリング３が装着され、長手方向両端側部には前記第１フック３１を貫通する計６つの開口部２１が対応するように形成されている。
前記内蓋４の開口部２１周囲には、全てを取り囲むように両面テープ５が張り付けられており、内蓋４の６つの開口部２１から第１フック３１を夫々貫通した状態で前記両面テープ５により前記内蓋４を外蓋６の内面に貼り合わせることで、開口部２１を貫通した第１フック３１が前記内蓋４から突出する。
【００２３】
そこで、前記電池収納凹部１１に電池２を収納したのち前記内蓋４から突出し
た第１フック３１を電池収納凹部１１の両側壁１３に凹溝状の切欠きで形成した６つの第２フック１２に夫々嵌合することで、前記内蓋４は、段付き凹部１０の内部に嵌合し、筐体１背面の段付き凹部１０周壁はＯリング３により密閉される。
【００２４】
上記のように構成された第１実施形態によれば、外観面となる外蓋６とＯリング３を装着した内蓋４を、両面テープ５を介して貼り合わせた電池蓋７により電池収納凹部１１を覆う防水電池蓋構造において、筺体１に嵌合している電池蓋７を取外すために、筐体１の背面から垂直に剥がすように外蓋６に外力を加えた際、筐体１と内蓋４は直接嵌合していないため、外蓋６と内蓋４が剥離する可能性が無く着脱耐久性が向上する。
【００２５】
また、電池収納部１１周囲の電池２を支持する両側壁１３には、一部を切り欠いた複数の凹溝１３ａが形成され、前記凹溝１３ａは、内蓋４の開口部２１を貫通した第１フック３１が嵌合する第２フック１２として形成され、前記第２フック１２には前記第１フック３１が着脱可能に嵌合するように構成されている。
このように第１、第２フック３１，１２を配置することにより、防水電池蓋構造は省スペース化が可能となり携帯電子機器の小型化を図ることができる。
【００２６】
次に、本発明の第２実施形態につき図４を参照して説明する。図４は外蓋の第１フックと第２フックが嵌合した状態を示す筺体の片側横断面図である。なお、前述した構成と同一構成物は同一符号を付して説明を省略する。
【００２７】
本実施形態では、第１実施形態で述べたように内蓋４の外周側面に形成されたリング溝１５に代えて、内蓋４の外周上面に図４に示すように板状の突出部１６を形成し、この突出部１６にリング状の弾性部材９を装着したもので、弾性部材９の下面に形成されたスリット９ａが前記突出部１６に装着されている。
段付き凹部１０の内周縁には、異形断面の弾性部材９が装着される環状のリング溝１８が形成されており、このリング溝１８には突出部１６に装着された弾性部材９が嵌合するように構成されている。
【００２８】
すなわち、前記外蓋６に両面テープ５を介して貼り合わされた内蓋４を段付き凹部１０の内部に嵌合する際に、前記リング溝１８に前記弾性部材９が嵌合することで筐体１背面の段付き凹部１０周壁は弾性部材９により密閉される。なお、前記弾性部材９は、内蓋４の外周上面に一体的に成型しても良い。
【００２９】
次に、本発明の第３実施形態につき図５を参照して説明する。図５は外蓋の第１フックと第２フックが嵌合した状態を示す筺体の片側横断面図である。なお、前述した構成と同一構成物は同一符号を付して説明を省略する。
本実施形態では、第１実施形態で述べた内蓋４の厚みを薄肉化したものである。すなわち、外蓋６に設けた第１フック３１を内蓋４の開口部２１を貫通して第２フック１２に嵌合する構造とすることで、内蓋４には負荷が直接作用しないことから、内蓋４の薄肉化を図ることができ延いては電池蓋７を薄型化することができる。
【００３０】
以上、実施形態について説明したが、本発明は、上記実施形態に限られるものではない。例えば、上記実施形態では、複数の開口部２１の全ての外周を取り囲むように両面テープ５が配置されているものとしたが、これに限られるものではない。例えば、開口部２１のそれぞれと対応して両面テープ５が配置され、これら両面テープ５がそれぞれ対応する開口部２１を取り囲むようにしても良い。
【符号の説明】
【００３１】
１…筐体、  ２…電池、  ３…Ｏリング、  ４…内蓋、  ５…両面テープ（防水両面テープ）、  ６…外蓋、  ７…電池蓋（防水電池蓋）、  １１…電池収納凹部（電池収納部）、  １２…第２フック、  １３ａ…凹溝、  １５…リング溝（溝）、  ２１…開口部、  ３１…第１フック
【図１】
2012178317.tif 000003
【図２】
2012178317.tif 000004
【図３】
2012178317.tif 000005
【図４】
2012178317.tif 000006
【図５】
2012178317.tif 000007
【図６】
2012178317.tif 000008
【図７】
2012178317.tif 000009
【図８】
2012178317.tif 000010